(57)【要約】【課題】  ユーザ毎に印刷枚数の上限が設定されているシステムにおいて、出力する事で上限値に達してしまうような印刷指示を出した場合、システムが印刷ジョブの印刷設定を提示するシステムがある。しかし、ユーザとしては、システムの提示した印刷設定に対し、さらに設定を変更したい場合がある。また、複数ジョブの印刷指示を行っている場合、ユーザの意思で印刷ジョブの取捨選択を行う事で、印刷可能枚数に収まる場合もある。このように、システムが選択した処理動作の内容をユーザの意思で変更することができないという課題があった。【解決手段】  出力枚数が印刷上限枚数に達する場合、印刷上限枚数に達さない印刷設定を設定した状態の印刷設定変更画面を表示する。ユーザは、そのまま印刷開始することで印刷データの途中で出力できなくなる事態を避ける事が出来る。また、印刷開始前に印刷設定変更を受け付ける事で、ユーザの意思をくみ取った形で出力を制御することができる。【選択図】  図７
2019181847.tif 000002
【特許請求の範囲】
【請求項１】
ユーザ毎に残り印刷可能枚数の管理を行う印刷可能枚数管理手段（４０３）と、印刷ジョブの出力ページ数を取得する手段（Ｓ７０２）と、前記印刷可能枚数管理手段により取得した印刷可能枚数と前記出力ページ数取得手段により取得した出力ページ数を比較し、前記出力ページ数が印刷可能枚数を超過するかどうかを判定する超過判定手段（Ｓ７０３）と、出力ページ数が印刷可能枚数内に収まるように前記印刷ジョブの印刷設定を変更する印刷設定変更手段（Ｓ７０４）と、前記印刷設定変更手段により変更した印刷設定と対応する印刷ジョブを含む印刷設定変更画面を表示する印刷設定変更画面表示手段（Ｓ７０６）とを有する事を特徴とする画像処理装置。
【請求項２】
前記印刷設定変更手段（Ｓ７０３）は、集約設定と部数設定に関して印刷設定を変更することを特徴とする請求項１に記載の画像処理装置。
【請求項３】
前記印刷設定変更手段（Ｓ７０３）は、印刷設定の変更順を設定できることを特徴とする請求項１に記載の画像処理装置。
【請求項４】
前記印刷設定変更画面表示手段（Ｓ７０６）は、印刷設定変更手段（Ｓ７０４）で変更した印刷設定以外の印刷設定も変更が可能なことを特徴とする請求項１に記載の画像処理装置。
【請求項５】
前記印刷設定変更画面表示手段（Ｓ７０６）は、印刷指示を出した印刷ジョブに関して、印刷ジョブ単位で印刷するかどうかを選択可能なことを特徴とする請求項１に記載の画像処理装置。
【請求項６】
前記印刷可能枚数管理手段（４０３）は、ユーザの所属する部門やグループにおける印刷可能枚数を管理することを特徴とする請求項１に記載の画像処理装置。
【発明の詳細な説明】
【技術分野】
【０００１】
本発明は、画像形成装置、情報処理方法及びプログラムに関する。
【背景技術】
【０００２】
画像処理装置における各ユーザの印刷枚数の上限値を設け、印刷枚数を管理するシステムは、画像処理装置の管理者の立場にとって重要なシステムである。なぜなら、印刷枚数を上限管理することで、管理者としては印刷に必要なコストの管理が容易になるためである。ユーザ毎の使用状況は、データベースで管理され、印刷要求時にその要求内容とデータベースの情報に基づいて、印刷の可、不可が決定される。
【０００３】
しかし、上述したように、印刷要求のあった印刷ジョブが印刷枚数の上限値を超えたときには印刷を許可しないという構成のみだと、印刷を可能にする手段がユーザに提供されないという課題があった。
【０００４】
そこで、特許文献１では、印刷枚数の上限値からユーザの印刷実績値を引いた値である印刷可能枚数と、印刷要求のあった印刷ジョブの出力枚数から、印刷ジョブの処理動作を切り替えるという構成が開示されている。これにより、印刷可能枚数では出力が完了しないような印刷ジョブでも、出力が完了するような印刷設定をシステムが提供でき、印刷ジョブを最後まで出力する事が可能となった。
【先行技術文献】
【特許文献】
【０００５】
【特許文献１】特開２００８−１７６７１７号公報
【発明の概要】
【発明が解決しようとする課題】
【０００６】
しかしながら、処理動作として、印刷ジョブの印刷設定を変更するような場合、ユーザとしては、システムの提示した印刷設定に対し、さらに設定を変更したい場合がある。さらに、複数ジョブの印刷指示を行っている場合は、ユーザの意思で印刷を行う印刷ジョブの取捨選択を行う事で、印刷可能枚数に収まる場合もある。そのため、システムが選択した処理動作の内容をユーザの意思で変更することができないという課題があった。例えば、印刷可能枚数が１０枚であり、ユーザの入稿した印刷ジョブが１in１、片面で２０枚だった場合を考える。ここで、システムが２in１、片面を処理動作として選択した場合、ユーザとしては、印刷可能枚数の範囲内でさらに印刷設定を変更することを望む場合が考えられる。
【課題を解決するための手段】
【０００７】
ユーザ毎に残り印刷可能枚数の管理を行う印刷可能枚数管理手段（４０３）と、印刷ジョブの出力ページ数を取得する手段（Ｓ７０２）と、前記印刷可能枚数管理手段により取得した印刷可能枚数と前記出力ページ数取得手段により取得した出力ページ数を比較し、前記出力ページ数が印刷可能枚数を超過するかどうかを判定する超過判定手段（Ｓ７０３）と、出力ページ数が印刷可能枚数内に収まるように前記印刷ジョブの印刷設定を変更する印刷設定変更手段（Ｓ７０４）と、前記印刷設定変更手段により変更した印刷設定と対応する印刷ジョブを含む印刷設定変更画面を表示する印刷設定変更画面表示手段（Ｓ７０６）とを有する事を特徴とする画像処理装置。
【発明の効果】
【０００８】
本発明によれば、印刷可能枚数を超過するような印刷ジョブの印刷要求をした場合に、システムが提案する印刷設定に加え、ユーザがさらに印刷設定変更を行い、出力することが可能となる。
【図面の簡単な説明】
【０００９】
【図１】本発明の実施形態における、画像形成装置の一実施形態を示すハードウェア構成図
【図２】本発明の実施形態における、情報処理装置のハードウェア構成の一例を示す図
【図３】本発明の実施形態における、画像形成装置のハードウェア構成の一例を示す図
【図４】本発明の実施形態における、画像形成装置の機能構成の一例を示す図
【図５】本発明の実施形態における、留め置き印刷ジョブ情報の一例を示す図
【図６】本発明の実施形態における、印刷ジョブ一覧画面の一例を示す図
【図７】本発明の実施形態における、印刷指示受付処理の一例を示すフローチャート
【図８】本発明の実施形態における、印刷設定変更画面の一例を示す図
【図９】本発明の実施形態における、印刷可能枚数に収まる印刷設定導出処理の一例を示すフローチャート
【図１０】本発明の実施形態における、印刷設定変更順設定画面の一例を示す図
【発明を実施するための形態】
【００１０】
以下、本発明を実施するための最良の形態について図面を用いて説明する。
【００１１】
（印刷システムの構成）
図１は、本実施形態における留め置き印刷システムのシステム構成の一例を示す図である。図１に示す留め置き印刷システムは、情報処理装置（１０１）と画像形成装置（１０２）とを含む。情報処理装置（１０１）と画像形成装置（１０２）とは、ネットワークを介して通信可能である。情報処理装置（１０１）は、印刷ジョブを生成して画像成形装置（１０２）に送信する。画像形成装置（１０２）は、情報処理装置（１０１）から受信した印刷ジョブを実行して印刷する。本実施形態では、情報処理装置（１０１）と画像形成装置（１０２）とがネットワークを介して接続するものとするが、パラレルケーブル、シリアルケーブル、ＵＳＢケーブル等により接続するような構成であってもよい。
【００１２】
（情報処理装置のハードウェア構成）
図２は、本実施形態における情報処理装置（１０１）のハードウェア構成の一例を示す図である。ＣＰＵ（２０１）は、情報処理装置（１０１）を制御する。ＲＡＭ（２０２）は、ＣＰＵ（２０１）のワークエリアとして機能する。補助記憶装置（ハードディスク、フロッピーディスク、ＣＤ−ＲＯＭ等）（２０３）は、ＣＰＵ（２０１）が実行する各種プログラム及びＣＰＵ（２０１）が実行する処理に用いられる各種データを格納する。ＣＰＵ（２０１）は、補助記憶装置（２０３）に格納されているプログラムをＲＡＭ（２０２）に読み出して実行することにより、後述する情報処理装置（１０１）の機能構成を実現する。
【００１３】
表示装置（ＣＲＴディスプレイ、液晶ディスプレイ等）（２０４）は、各種の情報（メッセージ等）を表示してユーザに通知する。入力装置（マウス、キーボード等）（２０５）は、ユーザからの情報処理装置（１０１）への入力を受け付ける。ＮＩＣ（Ｎｅｔｗｏｒｋ  Ｉｎｔｅｒｆａｃｅ  Ｃａｒｄ）（２０６）は、情報処理装置（１０１）がＬＡＮ（２０７）を介して他のネットワーク機器と相互にデータをやりとりするために用いられる。以上の機器が、メインバス（２０８）を介して相互に接続されている。
【００１４】
（画像形成装置のハードウェア構成）
図３は、画像形成装置（１０２）のハードウェア構成の一例を示す図である。ＣＰＵ（３０１）は、画像形成装置（１０２）を制御する。ＲＡＭ（３０２）は、ＣＰＵ（３０１）のワークエリアとして機能する。補助記憶装置（ハードディスク、ＣＤ−ＲＯＭ等）（３０３）は、ＣＰＵ（３０１）が実行する各種プログラム及びＣＰＵ（３０１）が実行する処理に用いられる各種データを格納する。また、補助記憶装置（３０３）は、データの一時保管をしたり、ＲＡＭ（２０２）の代わりに用いられたりする。ＣＰＵ（３０１）は、補助記憶装置（３０３）に格納されているプログラムをＲＡＭ（３０２）に読み出して実行することにより、後述する画像形成装置（１０２）の機能構成及びフローチャートの処理を実現する。
【００１５】
画像表示装置（液晶ディスプレイ等）（３０４）は、画像形成装置（１０２）の状態や、エラーメッセージ等を表示する。入力装置（タッチパネル等）（３０５）は、所望する印刷ジョブの指定等に関する入力を受け付ける。ＮＩＣ（３０６）は、画像形成装置（１０２）がＬＡＮ（３０７）を介して他のネットワーク機器と相互にデータをやりとりするために用いられる。印刷装置（印刷エンジン）（３０８）は、スキャンした画像データ等を用紙に印刷する。印刷装置（３０８）は、印刷処理に関する給紙オプション（給紙カセット等）や排紙オプション（フィニッシャ装置等）の状態を識別可能である。
【００１６】
読取装置（スキャナー）（３０９）は、原稿台に置かれた紙原稿を読み取り、白黒２値やカラー多値の画像データ（印刷データ）等を生成する。印刷装置（３０８）は、読取装置（３０９）が読み取った画像データを印刷することができる。また、印刷装置（３０８）は、画像データや印刷ジョブを補助記憶装置（３０３）に留め置いて任意のタイミングで印刷することもできる。これを留め置き印刷という。認証装置（３１０）は、ユーザによりかざされたカードを読み取ってログイン認証（カード認証）したり、入力装置（３０５）で入力された入力情報からログイン認証（キーボード入力証等）したりする。以上の機器が、メインバス（３１１）を介して相互に接続されている。
【００１７】
（画像形成装置の機能構成）
図４は、画像形成装置（１０２）の機能構成の一例を示す図である。上述したように、画像形成装置（１０２）の機能構成は、ＣＰＵ（３０１）が補助記憶装置（３０３）に格納されているプログラムを実行することにより実現される。印刷ジョブ管理部（４０１）は、情報処理装置（１０１）から投入された印刷ジョブや読取装置（３０９）からの画像データを補助記憶装置（３０３）に格納する。制御部（４０２）は、情報処理装置（１０１）から投入され、補助記憶装置（３０３）に留め置かれた印刷ジョブに対する制御を行う。印刷上限管理部（４０３）は、ユーザ毎に印刷上限を設定し、残り印刷可能枚数を管理する。
【００１８】
また、印刷可能枚数は、ユーザにより印刷ジョブが実行されると更新され、補助記憶装置（３０３）に格納する。なお、本実施例ではログインユーザに紐づく印刷可能枚数を取得しているが、ログインユーザの所属する部門やグループに紐づく印刷可能枚数を管理するような構成であっても良い。
【００１９】
（印刷ジョブの情報）
図５は、情報処理装置（１０１）から投入された印刷ジョブ情報（５００）の一例を示す図である。印刷ジョブ情報（５００）は、情報処理装置（１０１）のプリンタドライバにより生成される。また、生成された印刷ジョブ情報（５００）は、画像形成装置（１０２）の補助記憶装置（３０３）に格納され、留め置き印刷ジョブとして管理される。印刷ジョブ情報（５００）は、投入された印刷ジョブのジョブ名情報（５０１）、印刷ジョブを投入したジョブオーナーのジョブオーナー名情報（５０２）を含む。また、印刷情報（５００）は、印刷ジョブの部数設定、集約設定、カラーモード設定、片面両面設定等の印刷設定情報（５０３）、描画を行うためのＰＤＬ（Ｐａｇｅ  Ｄｅｓｃｒｉｐｔｉｏｎ  Ｌａｎｇｕａｇｅ）データ（５０４）を含む。
【００２０】
［実施例１］
本実施例では、画像形成装置（１０２）に留め置いた印刷ジョブに対し、印刷指示を受付け、出力枚数が印刷上限枚数に達する場合、印刷上限枚数に達さない印刷設定を設定した状態の印刷設定変更画面を表示する。ユーザは、そのまま印刷開始することで印刷データの途中で出力できなくなる事態を避ける事が出来る。また、印刷開始前に印刷設定変更を受け付ける事で、ユーザの意思をくみ取った形で出力を制御することができる。以上の構成を例に説明する。
【００２１】
図６は、ログインユーザが留め置いた印刷ジョブのジョブリストを確認し、印刷するためのジョブリスト画面（６００）であり、画像形成装置（１０２）の入力装置（３０５）に表示される。ジョブリスト画面（６００）は、印刷ジョブボタン（６０１、６０２）を持つ。印刷ジョブボタンには、文書名、１部あたりのページ数、印刷設定等が表示される。また、それぞれの印刷ジョブボタンには印刷指示を行うかどうかのチェックが紐づいており、チェック部分にタッチする事で、チェックを付けたり、外したりすることができる。
【００２２】
このチェックが付いた状態で、印刷開始ボタン（６０４）を押下することで、チェックが付いている印刷ジョブに関してのみ印刷を開始する事ができる。また、ジョブリスト画面（６００）は残り印刷可能枚数表示（６０３）を持ち、ログインユーザが印刷可能な残りページ数を表示する。
【００２３】
図７は、画像処理装置（１０２）のジョブリスト画面（６００）にて、印刷開始ボタン（６０４）が押下された時のフローチャートを示す。図７に示すフローチャートは、ＲＡＭ（３０２）に処理実行するプログラムがロードされ、ＣＰＵ（３０１）によって実行される。Ｓ７０１において、印刷上限管理部（４０３）は、ログインユーザの印刷可能枚数を補助記憶装置（３０３）から取得し、ＲＡＭ（３０２）に格納する。Ｓ７０２において、印刷ジョブ管理部（４０１）は、ジョブリスト画面（６００）において、印刷指示を行うかどうかのチェックが付いている全ての印刷ジョブの印刷ページ数を算出し、ＲＡＭ（３０２）に格納する。
【００２４】
印刷ジョブの印刷ページ数は、印刷ジョブのページ数と集約設定、部数設定から算出される。例えば、図６における全ての印刷ジョブの印刷ページ数は、文書１が１００ページ、文書３が９ページ（５ページの印刷ジョブが２in１されると３ページに集約される）であり、全ての印刷ジョブの印刷ページ数は、１０９ページとなる。Ｓ７０３において、制御部（４０２）は、Ｓ７０１でＲＡＭ（３０２）に格納された印刷可能枚数と、Ｓ７０２でＲＡＭ（３０２）に格納された印刷ページ数を比較し、印刷ページ数が印刷可能枚数を超過するかどうかを判定する。超過しない場合はＳ７１０へ進み、超過する場合は、Ｓ７０４へ進む。
【００２５】
Ｓ７０４において、印刷ジョブ管理部（４０１）は、印刷指示されている印刷ジョブに関して、印刷可能枚数に収まる印刷設定を導出し、その印刷設定をＲＡＭ（３０２）に格納する。Ｓ７０４の詳細に関しては、図９において説明する。Ｓ７０５において、制御部（４０２）は、Ｓ７０４において印刷設定がＲＡＭ（３０２）に格納されたかどうかを判定し、格納されている場合はＳ７０６へ進み、格納されていない場合はＳ７０７へ進む。
【００２６】
Ｓ７０７において、制御部（４０２）は、印刷可能枚数を超過するため、印刷できない旨のメッセージを表示し、フローチャートを終了する。Ｓ７０６において、制御部（４０２）は、Ｓ７０４でＲＡＭ（３０２）に格納された印刷設定を反映した状態の印刷設定変更画面（８００）を表示する。印刷設定変更画面（８００）の一例を図８に示す。印刷設定変更画面（８００）は、印刷ジョブボタン（８０１）を持つ。印刷ジョブボタン（８０１）は、現在印刷設定変更の対象としているかどうかを示す「変更対象」の文言、文書名、ページ数、印刷設定等が表示される。
【００２７】
印刷設定を変更したい印刷ジョブボタン（８０１）を押下することで、対象を変更することができる。印刷設定変更画面表示エリア（８０２）には、印刷ジョブボタン（８０１）において「変更対象」と表示されている印刷ジョブに関しての印刷設定が表示される。印刷設定変更画面表示エリア（８０２）内の印刷設定変更ボタン（８０３）を押下することで、変更したい内容の印刷設定を選択することができる。部数、ページ範囲設定に関しては、入力装置（３０５）のハードキー等から入力できる。また、印刷設定変更画面（８００）は、残り印刷可能枚数（８０４）と現設定での出力枚数（８０５）を表示する。
【００２８】
現設定での出力枚数（８０５）は、印刷ジョブボタン（８０１）の中でチェックのついている印刷ジョブに関して、ページ数と印刷設定から算出したページ数が表示される。印刷開始ボタン（８０６）は、現設定での出力枚数（８０５）が残り印刷可能枚数（８０４）より少ない場合のみ押下可能となる。キャンセルボタン（８０７）を押下すると、ジョブリスト画面（６００）に遷移する。図７のＳ７０８において、制御部（４０２）は、押下されたボタンが印刷開始ボタン（８０６）かキャンセルボタン（８０７）かを判定する。
【００２９】
開始ボタン（８０６）の場合は、印刷設定変更画面（８００）において設定されている印刷設定で、Ｓ７０４においてＲＡＭ（３０２）に格納した印刷設定を更新し、Ｓ７０９へ進む。キャンセルボタン（８０７）の場合は、フローチャートを終了する。Ｓ７０９において、印刷ジョブ管理部（４０１）は、Ｓ７０８で更新した印刷設定で、補助記憶装置（３０３）に格納されている印刷ジョブの印刷設定（５０３）を更新する。Ｓ７１０において、制御部（４０２）は、ジョブリスト画面（６００）もしくは印刷設定変更画面（８００）でチェックの付いている印刷ジョブに関して、印刷を開始し、フローチャートを終了する。
【００３０】
図９は、Ｓ７０４の印刷可能枚数内に収まる印刷設定の導出のフローチャートを示す。Ｓ９０１において、印刷ジョブ管理部（４０１）は、最初の印刷ジョブを参照し、その印刷ジョブに対する処理をＳ９０３で実行する。Ｓ９０２において、印刷ジョブ管理部（４０１）は、参照印刷ジョブの集約数が４以上かどうかを判定する。本実施例では集約数の最大を４と規定しているが、ユーザに設定させても良い。集約数が４以上の場合はＳ９０６へ進み、そうでない場合はＳ９０３へ進む。Ｓ９０３において印刷ジョブ管理部（４０１）は集約設定の集約数を２倍に変更する。
【００３１】
例えば、参照している印刷ジョブの集約設定が１in１の場合は２in１に、２in１の場合は４in１に変更する。Ｓ９０４において印刷ジョブ管理部（４０１）は、Ｓ９０３において変更した印刷設定での出力ページ数を算出し、Ｓ７０２でＲＡＭ（３０２）に格納した全印刷ジョブの印刷ページ数を更新する。Ｓ９０５において、印刷ジョブ管理部（４０１）は、Ｓ９０４で更新した全ジョブの印刷ページ数と、Ｓ７０１でＲＡＭ（３０２）に格納した印刷可能枚数を比較し、全ジョブの印刷ページ数が印刷可能枚数を超過するかどうかを判定する。超過しない場合はＳ９１５へ進み、超過する場合は、Ｓ９０２へ進む。Ｓ９０６において、印刷ジョブ管理部（４０１）は全ての印刷ジョブにおいて、集約設定の集約数が４以上かどうかを判定する。
【００３２】
全ての印刷ジョブの集約数が４以上の場合はＳ９０８へ進み、そうでない場合はＳ９０７へ進む。Ｓ９０７において、印刷ジョブ管理部（４０１）は、参照する印刷ジョブを次に進める。Ｓ９０８において、印刷ジョブ管理部（４０１）は、最初の印刷ジョブを参照し、その印刷ジョブに対する処理をＳ９１０で実行する。Ｓ９０９において、印刷ジョブ管理部（４０１）は、参照印刷ジョブの部数設定が１かどうかを判定する。部数設定が１の場合はＳ９１３に進み、そうでない場合はＳ９１０へ進む。Ｓ９１０において、印刷ジョブ管理部（４０１）は、部数設定を１部減らす。
【００３３】
Ｓ９１１において印刷ジョブ管理部（４０１）は、Ｓ９１０において変更した印刷設定での出力ページ数を算出し、Ｓ７０２もしくはＳ９０４でＲＡＭ（３０２）に格納した全印刷ジョブの印刷ページ数を更新する。Ｓ９１２において、印刷ジョブ管理部（４０１）は、Ｓ９１１で更新した全ジョブの印刷ページ数と、Ｓ７０１でＲＡＭ（３０２）に格納した印刷可能枚数を比較し、全ジョブの印刷ページ数が印刷可能枚数を超過するかどうかを判定する。超過しない場合はＳ９１５へ進み、超過する場合は、Ｓ９０９へ進む。
【００３４】
Ｓ９１５において、印刷ジョブ管理部（４０１）は、Ｓ９０３、Ｓ９１０で変更した全ての印刷ジョブの印刷設定をＲＡＭ（３０２）に格納する。Ｓ９１３において、印刷ジョブ管理部（４０１）は全ての印刷ジョブにおいて、部数設定が１かどうかを判定する。全ての印刷ジョブの部数設定が１の場合はフローチャートを終了し、そうでない場合はＳ９１４へ進む。Ｓ９１４において、印刷ジョブ管理部（４０１）は、参照する印刷ジョブを次に進める。
【００３５】
以上、本実施形態によれば、ログインユーザの印刷可能枚数を超過するような印刷ジョブの印刷要求をした場合においても、システムが提案する印刷設定に加え、ユーザがさらに印刷設定変更を行い、印刷ジョブを出力することが可能となる。
【００３６】
［実施例２］
本実施例は、実施例１とほぼ同様であるため、異なる部分のみを以下で説明する。図１０は、Ｓ７０４において印刷設定を導出する際の印刷設定の変更順をユーザに設定させる画面の一例を示す。印刷設定変更順設定画面（１０００）には、変更順設定（１００１）が含まれる。Ｓ７０４で印刷設定を導出する際に、変更順設定（１００１）で変更順１に設定された印刷設定を優先して変更する。図１０の例では集約設定が変更順１、部数設定が変更順２に設定されているため、図９のフローチャートに示した通りの処理となる。
【００３７】
例えば、変更順１が部数設定であり、変更順２が集約設定に設定された場合は、図９のフローチャートにおけるＳ９０２、Ｓ９０３とＳ９０９、Ｓ９１０が入れ替わる形で処理が実行される。また、集約設定に関しては、最大集約設定（１００２）を行う事が出来る。これは、最大集約をいくつまで許容するかをユーザが設定できるものであり、Ｓ９０２における判定に用いる。
【符号の説明】
【００３８】
１０１  情報処理装置
１０２  画像形成装置
【図１】
2019181847.tif 000003
【図２】
2019181847.tif 000004
【図３】
2019181847.tif 000005
【図４】
2019181847.tif 000006
【図５】
2019181847.tif 000007
【図６】
2019181847.tif 000008
【図７】
2019181847.tif 000009
【図８】
2019181847.tif 000010
【図９】
2019181847.tif 000011
【図１０】
2019181847.tif 000012